(57)【要約】【課題】周知の技術の、ディスプレイに多種類のグレイレベルを現出させることができず、またグレイレベルとグレイレベルの間のコントラストの不良の欠点を解決する、有機発光ダイオードディスプレイに多種類のグレイレベルを表現させる方法の提供。【解決手段】各データ線をそれぞれ一つの電源供給回路に連接し、そのうち各電源供給回路は複数の、一つのスイッチを一つの電流源に直列に連接した回路を並列に連接して形成し、さらに、各走査線の走査動作を組み合わせ、且つ各電源供給回路中の各スイッチを制御し、合成電流を連接したデータ線に供給し、こうして各有機発光ダイオードを駆動する。【選択図】　　　　図１
2004046064.tif 000002
【特許請求の範囲】
【請求項１】
有機発光ダイオードディスプレイに多種類のグレイレベルを表現させる方法において、該有機発光ダイオードディスプレイが、複数の走査線、複数のデータ線、該走査線と該データ線に駆動される複数の有機発光ダイオードを具え、該方法は、
各データ線をそれぞれ、一つのスイッチを一つの電流源に直列に連接した回路を複数並列に連接してなる一つの電源供給回路（１００）、（１０２）、（１０４）、（１０６）に連接するステップと、
各走査線の走査動作を組み合わせると共に各電源供給回路（１００）、（１０２）、（１０４）、（１０６）中の各スイッチを制御し、合成電流を連接されたデータ線に供給し、各有機発光ダイオード（１０８）、（１１０）、（１１２）、（１１４）を駆動するステップと、
を具えたことを特徴とする、有機発光ダイオードディスプレイに多種類のグレイレベルを表現させる方法。
【請求項２】
前記電源供給回路（１００）、（１０２）、（１０４）、（１０６）中の第ｉ個電流源の電流の大きさが２ｉ−１個単位電流（Ｉ）とされることを特徴とする、請求項１に記載の有機発光ダイオードディスプレイに多種類のグレイレベルを表現させる方法。
【請求項３】
有機発光ダイオードディスプレイに多種類のグレイレベルを表現させる方法において、該有機発光ダイオードディスプレイが、複数の走査線、複数のデータ線、該走査線と該データ線に駆動される複数の有機発光ダイオードを具え、且つ各走査線が走査時間に該有機発光ダイオード（１０８）、（１１０）、（１１２）、（１１４）を走査し、該方法は、
各データ線をそれぞれ、一つのスイッチを一つの電流源に直列に連接した回路を複数並列に連接してなる一つの電源供給回路（１００）、（１０２）、（１０４）、（１０６）に連接するステップと、
各走査線の走査動作を組み合わせると共に各電源供給回路（１００）、（１０２）、（１０４）、（１０６）中の各スイッチの導通時間を制御し、合成電流を連接されたデータ線に供給し、各有機発光ダイオード（１０８）、（１１０）、（１１２）、（１１４）を駆動するステップと、
を具え、該導通時間が該走査時間以下であることを特徴とする、有機発光ダイオードディスプレイに多種類のグレイレベルを表現させる方法。
【請求項４】
前記電源供給回路（１００）、（１０２）、（１０４）、（１０６）中の第ｉ個電流源の電流の大きさが２ｉ−１個単位電流（Ｉ）とされることを特徴とする、請求項３に記載の有機発光ダイオードディスプレイに多種類のグレイレベルを表現させる方法。
【請求項５】
有機発光ダイオードディスプレイに多種類のグレイレベルを表現させる方法において、該有機発光ダイオードディスプレイが、複数の走査線、複数のデータ線、該走査線と該データ線に駆動される複数の有機発光ダイオードを具え、且つ各走査線が走査時間に該有機発光ダイオード（１０８）、（１１０）、（１１２）、（１１４）を走査し、該方法は、
各データ線をそれぞれ、一つのスイッチを一つの電流源に直列に連接した回路を複数並列に連接してなる一つの電源供給回路（１００）、（１０２）、（１０４）、（１０６）に連接するステップと、
各走査線の走査動作を組み合わせると共に各電源供給回路（１００）、（１０２）、（１０４）、（１０６）中の各スイッチの導通回数を制御し、合成電流を連接されたデータ線に供給し、各有機発光ダイオード（１０８）、（１１０）、（１１２）、（１１４）を駆動するステップと、
を具えたことを特徴とする、有機発光ダイオードディスプレイに多種類のグレイレベルを表現させる方法。
【請求項６】
前記電源供給回路（１００）、（１０２）、（１０４）、（１０６）中の第ｉ個電流源の電流の大きさが２ｉ−１個単位電流（Ｉ）とされることを特徴とする、請求項５に記載の有機発光ダイオードディスプレイに多種類のグレイレベルを表現させる方法。
【発明の詳細な説明】
【０００１】
【発明の属する技術分野】
本発明は一種の有機発光ダイオードディスプレイ（Ｏｒｇａｎｉｃ　Ｌｉｇｈｔ　Ｅｍｉｔｔｉｎｇ　Ｄｉｏｄｅ；ＯＬＥＤ）の表示技術に係り、特に、ディスプレイ内の有機発光ダイオードに異なるグレイレベル（ｇｒａｙ　ｌｅｖｅｌ）を具備させる駆動方法に関する。
【０００２】
【従来の技術】
周知のディスプレイ内の有機発光ダイオードに異なるグレイレベルを具備させる駆動方法には二種類があり、すなわち、それはパルス幅変調法（Ｐｕｌｓｅ
Ｗｉｄｔｈ　Ｍｏｄｕｌａｔｉｏｎ；ＰＷＭ）とフレームレート変調法（Ｆｒａｍｅ　Ｒａｔｅ　Ｍｏｄｕｌａｔｉｏｎ；ＦＲＭ）である。
【０００３】
パルス幅変調法は、各有機発光ダイオードの点灯時間を決定することで、各有機発光ダイオードに異なるグレイレベルを具備させる効果を達成する。有機発光ダイオードは直接電流で駆動されるため、電流が有機発光ダイオードを点灯させる時間が長いほど有機発光ダイオードは明るくなり、反対に電流が有機発光ダイオードを点灯させる時間が短いほど、有機発光ダイオードは暗くなる。
【０００４】
フレームレート変調法は、各有機発光ダイオードの点灯回数を決定することにより、各有機発光ダイオードに異なるグレイレベルを具備させる効果を達成する。有機発光ダイオードは直接電流で駆動されるため、電流が有機発光ダイオードを点灯させる回数が多いほど実際に累積される点灯時間が長くなるため、有機発光ダイオードは明るくなり、反対に電流が有機発光ダイオードを点灯させる回数が短いほど、実際に累積される点灯時間が短くなるため、有機発光ダイオードは暗くなる。
【０００５】
以上の二種類の周知の技術の特徴は、いずれも走査線の有機発光ダイオードに対する走査時間を分割し、その後、各有機発光ダイオードの電流点灯時間或いは点灯回数に分配することにより、ディスプレイに多種類のグレイレベルを現出させる効果を達成する。しかし、この特徴はそれらの最大の欠点でもあり、その原因は、時分割後の各小時間セクション内の電流は、実際には相当に微小で、これにより各有機発光ダイオードのグレイレベルの差異性が大きくなく、すなわち明暗コントラストが不良で、多種類のグレイレベルの効果を現出できないことにある。
【０００６】
このほか、走査時間の分割はデータ線が有機発光ダイオードを駆動する周波数を高めることにより実施され、周波数の引き上げは電力消耗量を増し、ディスプレイ自身の抵抗−電容（ＲＣ）効果も大きくなり、輝度不均一とクロストーク等の不良現象を発生させやすい。且つ同じ輝度では、走査時間分割の使用は瞬間輝度が高くなり、これは瞬間の電圧電流がいずれも高くなることを示し、電力を消耗しやすい。
【０００７】
【発明が解決しようとする課題】
本発明の目的は、周知の技術における、ディスプレイに多種類のグレイレベルを現出させることができず、またグレイレベルとグレイレベルの間のコントラストが不良であるという欠点を解決することにある。
【０００８】
上述の目的を達成するため、本発明は一種の有機発光ダイオードディスプレイに多種類のグレイレベルを表現させる方法を提供し、この方法は、各データ線をそれぞれ一つの電源供給回路に連接し、そのうち各電源供給回路は複数の、一つのスイッチを一つの電流源に直列に連接した回路を並列に連接して形成し、さらに、各走査線の走査動作を組み合わせ、且つ各電源供給回路中の各スイッチを制御し、合成電流を連接したデータ線に供給し、こうして各有機発光ダイオードを駆動する方法である。
【０００９】
【課題を解決するための手段】
請求項１の発明は、有機発光ダイオードディスプレイに多種類のグレイレベルを表現させる方法において、該有機発光ダイオードディスプレイが、複数の走査線、複数のデータ線、該走査線と該データ線に駆動される複数の有機発光ダイオードを具え、該方法は、
各データ線をそれぞれ、一つのスイッチを一つの電流源に直列に連接した回路を複数並列に連接してなる一つの電源供給回路（１００）、（１０２）、（１０４）、（１０６）に連接するステップと、
各走査線の走査動作を組み合わせると共に各電源供給回路（１００）、（１０２）、（１０４）、（１０６）中の各スイッチを制御し、合成電流を連接されたデータ線に供給し、各有機発光ダイオード（１０８）、（１１０）、（１１２）、（１１４）を駆動するステップと、
を具えたことを特徴とする、有機発光ダイオードディスプレイに多種類のグレイレベルを表現させる方法としている。
請求項２の発明は、前記電源供給回路（１００）、（１０２）、（１０４）、（１０６）中の第ｉ個電流源の電流の大きさが２ｉ−１個単位電流（Ｉ）とされることを特徴とする、請求項１に記載の有機発光ダイオードディスプレイに多種類のグレイレベルを表現させる方法としている。
請求項３の発明は、有機発光ダイオードディスプレイに多種類のグレイレベルを表現させる方法において、該有機発光ダイオードディスプレイが、複数の走査線、複数のデータ線、該走査線と該データ線に駆動される複数の有機発光ダイオードを具え、且つ各走査線が走査時間に該有機発光ダイオード（１０８）、（１１０）、（１１２）、（１１４）を走査し、該方法は、
各データ線をそれぞれ、一つのスイッチを一つの電流源に直列に連接した回路を複数並列に連接してなる一つの電源供給回路（１００）、（１０２）、（１０４）、（１０６）に連接するステップと、
各走査線の走査動作を組み合わせると共に各電源供給回路（１００）、（１０２）、（１０４）、（１０６）中の各スイッチの導通時間を制御し、合成電流を連接されたデータ線に供給し、各有機発光ダイオード（１０８）、（１１０）、（１１２）、（１１４）を駆動するステップと、
を具え、該導通時間が該走査時間以下であることを特徴とする、有機発光ダイオードディスプレイに多種類のグレイレベルを表現させる方法としている。
請求項４の発明は、前記電源供給回路（１００）、（１０２）、（１０４）、（１０６）中の第ｉ個電流源の電流の大きさが２ｉ−１個単位電流（Ｉ）とされることを特徴とする、請求項３に記載の有機発光ダイオードディスプレイに多種類のグレイレベルを表現させる方法としている。
請求項５の発明は、有機発光ダイオードディスプレイに多種類のグレイレベルを表現させる方法において、該有機発光ダイオードディスプレイが、複数の走査線、複数のデータ線、該走査線と該データ線に駆動される複数の有機発光ダイオードを具え、且つ各走査線が走査時間に該有機発光ダイオード（１０８）、（１１０）、（１１２）、（１１４）を走査し、該方法は、
各データ線をそれぞれ、一つのスイッチを一つの電流源に直列に連接した回路を複数並列に連接してなる一つの電源供給回路（１００）、（１０２）、（１０４）、（１０６）に連接するステップと、
各走査線の走査動作を組み合わせると共に各電源供給回路（１００）、（１０２）、（１０４）、（１０６）中の各スイッチの導通回数を制御し、合成電流を連接されたデータ線に供給し、各有機発光ダイオード（１０８）、（１１０）、（１１２）、（１１４）を駆動するステップと、
を具えたことを特徴とする、有機発光ダイオードディスプレイに多種類のグレイレベルを表現させる方法としている。
請求項６の発明は、前記電源供給回路（１００）、（１０２）、（１０４）、（１０６）中の第ｉ個電流源の電流の大きさが２ｉ−１個単位電流（Ｉ）とされることを特徴とする、請求項５に記載の有機発光ダイオードディスプレイに多種類のグレイレベルを表現させる方法としている。
【００１０】
【発明の実施の形態】
図１は本発明の具体的実施例表示図である。図１のディスプレイは、複数の走査線ｃ１〜Ｃｎ、複数のデータ線Ｓ１〜Ｓｎ、及び該走査線とデータ線に駆動される複数の有機発光ダイオードを具えている。図中にはまた本発明の方法を使用するのに必要な電源供給回路（１００）、（１０２）、（１０４）、（１０６）が示され、電源供給回路（１００）、（１０２）、（１０４）、（１０６）は複数の、一つのスイッチを一つの電流源に直列に連接した回路を並列に連接してなる回路であり、且つそれぞれデータ線Ｓ１、Ｓ２、Ｓ３、Ｓｎに連接されて有機発光ダイオードを駆動する主要動力とされる。
【００１１】
図１中の電源供給回路（１００）、（１０２）、（１０４）、（１０６）はいずれも電流の大きさがそれぞれ１Ｉ、２Ｉ、４Ｉとされる電流源を具え、単位電流の大きさは設計者により決定され、各電流の大きさを決定するのにハードウエア設計上の便利性と実施性を考慮して２の冪級数が採用されるが、とされるが、ただし電流源の大きさと数量はこの実施例に限定されるわけではない。電源供給回路（１００）、（１０２）、（１０４）、（１０６）はスイッチａ、スイッチｂ、スイッチｃを具えるが、同様にスイッチの数量もこの実施例に限定される訳ではない。
【００１２】
本発明の方法によると、各走査線の走査動作が組み合わされ、且つ各電源供給回路中の各スイッチが制御されて、合成電流を連接されたデータ線に供給し、各有機発光ダイオードを駆動する。図１の例では、走査線Ｃ１が走査動作を進行しており、同時間に電源供給回路（１００）が制御されてそのスイッチａが導通（ｏｎ）し、スイッチｂとスイッチｃが切断（ｏｆｆ）され、電源供給回路（１０２）が制御されてそのスイッチａとスイッチｂが導通（ｏｎ）し、スイッチｃが切断（ｏｆｆ）され、電源供給回路（１０４）が制御されてそのスイッチａとスイッチｃが導通（ｏｎ）し、スイッチｂが切断（ｏｆｆ）され、電源供給回路（１０６）が制御されてそのスイッチａとスイッチｂ及びスイッチｃが全て導通（ｏｎ）し、これにより電源供給回路（１００）、（１０２）、（１０４）、（１０６）がそれぞれ１Ｉ、３Ｉ、５Ｉ、７Ｉの電流を供給し、有機発光ダイオード（１０８）、（１１０）、（１１２）、（１１４）もそれぞれこの電流に駆動されて異なるグレーレベルを現出させる。図２は図１の電源供給回路の供給可能な各種合成電流値を示す。
【００１３】
本発明のもう一つの実施例は、上述の二種類の周知の技術の変調原理が組み合わされ、電流源数量を固定する条件の下で、更に多くの合成電流値を発生し、有機発光ダイオードに更に多種類のグレイレベルを現出させられる。パルス幅変調法を組み合わせる場合は、以下のステップを実行する。即ち、各走査線の走査動作を組み合わせ、且つ各電源供給回路の各スイッチの導通時間を制御し、合成電流を連接されたデータ線に提供し、各有機発光ダイオードを駆動する。そのうち、該導通時間は走査時間以下とする。また、フレームレート変調法を組み合わせる場合は、以下のステップを実行する。即ち、各走査線の走査動作を組み合わせ、且つ各電源供給回路の各スイッチの導通回数を制御し、合成電流を連接されたデータ線に提供し、各有機発光ダイオードを駆動する。
【００１４】
図３は本発明に二種類の周知の技術を組み合わせた後に、電源供給回路が供給できる各種の合成電流値を示す。
【００１５】
【発明の効果】
本発明の特徴は以下のとおりである。
・高過ぎる駆動周波数を必要とせず、これにより抵抗−電容（ＲＣ）効果を防止でき、クロストークを発生しない。
・消耗電力量が少ない。
・電流源の数量を増加することにより、更に高いグレイレベル値を有機発光ダイオードに提供できる。
・周知の技術の変調原理を組み合わせることにより、電流源数量を固定した条件の下で、更に多くの合成電流値を発生でき、有機発光ダイオードに各種のグレイレベルを現出させられる。
以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の具体的実施例表示図である。
【図２】図１の電源供給回路が供給可能である各種の合成電流値表示図である。
【図３】本発明のもう一つの実施例中の電源供給回路が供給可能な各種の合成電流値表示図である。
【符号の説明】
（１００）、（１０２）、（１０４）、（１０６）　電源供給回路
（１０８）、（１１０）、（１１２）、（１１４）　有機発光ダイオード
ａ、ｂ、ｃ　スイッチ
【図１】
2004046064.tif 000003
【図２】
2004046064.tif 000004
【図３】
2004046064.tif 000005